(57)【要約】【課題】ショルダーパッティングを完璧に行うために必要な１）支点（軸）がブレない、２）全ストローク工程を通じて手首や腕・肘が変形しないという条件を満足するためのチェックが行えて、かつその習得が可能であり、ストロークの方向性のチェックを行って正しいストロークを習得することができるゴルフ用パッティング練習機を提供する。【解決手段】ゴルファーが体の一部に装着して使用するゴルフ用パッティング練習機であって、レーザービームを照射するレーザー指示器と、前記レーザー指示器を腕に着脱自在に装着する腕帯と、前記レーザー指示器と前記腕帯とを連結し該レーザー指示器の角度調整を行う自由雲台と、前記自由雲台の先端に設けられた取付け部材を差込み引き抜いて前記レーザー指示器を着脱するスライド式着脱具とを有することを特徴とするゴルフ用パッティング練習機。【選択図】図１
2006255390.tif 000002
【特許請求の範囲】
【請求項１】
ゴルファーが体の一部に装着して使用するゴルフ用パッティング練習機であって、レーザービームを照射するレーザー指示器と、
前記レーザー指示器を腕に着脱自在に装着する腕帯と、
前記レーザー指示器と前記腕帯とを連結し該レーザー指示器の角度調整を行う自由雲台と、前記自由雲台の先端に設けられた取付け部材を差込み引き抜いて前記レーザー指示器を着脱するスライド式着脱具とを有することを特徴とするゴルフ用パッティング練習機。
【請求項２】
前記レーザー指示器を帽子の鍔またはベルトに装着するクリップを有することを特徴とする請求項１に記載のゴルフ用パッティング練習機。
【請求項３】
前記レーザー指示器は、レーザーの発信モードをスポットレーザーとラインレーザーのいずれかに切り替える機能を有することを特徴とする請求項１または請求項２に記載のゴルフ用パッティング練習機。
【発明の詳細な説明】
【技術分野】
【０００１】
本発明は、ゴルファーが体の一部に装着して使用するゴルフ用パッティング練習機に関する。
具体的には、レーザー指示器を用いて体の動きを地面やパターに示すことができるパッティング練習機に関するものである。
【背景技術】
【０００２】
従来、ゴルフのパッティング時のアドレスを修正したり、ボールと眼の位置を確認して正しい姿勢を習得したり、レーザー照準器でパッティングの方向を示す等のパッティング練習機があった。
しかし、従来のパッティング練習機は次のような欠点があった。
(イ)パッティングにおけるストロークの動作の結果だけを見ながら練習したり動作の一部を習得したりすることができるもので、体の動き全体の良否判断とその習得ができなかった。
(ロ)ミスパット(悪い動作)の要因分析ができなかった。
(ハ)体や腕を拘束したり強制したりするもので、実際のグリ−ン上のような自然なスロークができなかった。
(ニ)携行性に欠け、スタート前の練習グリーンでの使用が不便であ            った。
(ホ)正しい距離感の習得が難しかった。
(ヘ)パターやボールが無いとストローク練習ができなかった。
【０００３】
例えば、特開平９−１５４９９５号公報には、ゴルフのスイングやパターの練習時に、頭側部よりゴルフボールにレーザー光を照射してスイングの回転軸である頭部のふれを少なくするための光軸調整が容易なゴルフ練習用照準具が提案されている。
しかし、この特開平９−１５４９９５号公報に記載された方法は、スイングの回転軸がブレていないことをチェックを行うことはできるが、手首や腕・肘を固定したショルダーパッティング時に腕や肘・手首が変形していないことをチェックすることができなかったため、振り子式のストロークを完璧に習得することができなかった。また、この方法は、ストロークの方向のチェックや正しいストロークの習得をすることができなかった。
【特許文献１】特開平９−１５４９９５号公報
【発明の開示】
【発明が解決しようとする課題】
【０００４】
本発明は、前述のような従来技術の問題点を解消し、手首や腕・肘を固定して、両肩の回転によりストロークするショルダーパッティング時に腕や肘・手首が変形していないことをチェックすることができるゴルフ用パッティング練習機を提供することを課題とする。
具体的には、ショルダーパッティングを完璧に行うために必要な１）支点（軸）がブレない、２）全ストローク工程を通じて手首や腕・肘が変形しないという条件を満足するためのチェックが行えて、かつその習得が可能なこと。並びにストロークの方向性のチェックを行って正しいストロークを習得することができるゴルフ用パッティング練習機を提供することを課題とする。
【課題を解決するための手段】
【０００５】
本発明は、前述の課題を解決するものであり、その要旨とするところは特許請求の範囲に記載した通りの下記内容である。
（１）ゴルファーが体の一部に装着して使用するゴルフ用パッティング練習機であって、レーザービームを照射するレーザー指示器と、
前記レーザー指示器を腕に着脱自在に装着する腕帯と、
前記レーザー指示器と前記腕帯とを連結し該レーザー指示器の角度調整を行う自由雲台と、前記自由雲台の先端に設けられた取付け部材を差込み引き抜いて前記レーザー指示器を着脱するスライド式着脱具とを有することを特徴とするゴルフ用パッティング練習機。
（２）前記レーザー指示器を帽子の鍔またはベルトに装着するクリップを有することを特徴とする（１）に記載のゴルフ用パッティング練習機。
（３）前記レーザー指示器は、レーザーの発信モードをスポットレーザーとラインレーザーのいずれかに切り替える機能を有することを特徴とする（１）または（２）に記載のゴルフ用パッティング練習機。
【発明の効果】
【０００６】
本発明によれば、下記のような産業上有用な著しい効果を奏する。
まず、体の一部に装着した本練習機を用いることによりストローク中の正しい動き、即ち腕・肘とパターが一体となって頚骨を支点とした円弧運動が行えるように練習できるので方向性の高いストロークを習得できる。
また、正しいストロークを乱す要因である膝・腰・尻・肘・手首・頭・目線の動きを防止するように練習することが可能となる。そして、正しいストロークを習得すると、安定した速さのストロークが身に付くので、ストロークの振り幅を変えれば、振り幅に対応したボール転がり距離が得られるので、距離感の習得も容易である。
更に、この練習機は携行性に優れ、レーザービーム応用により芝の上でも使用効果が変わらないので、ゴルフ場の練習グリーンに持ち込みラウンドのスタート前にも効果的に練習できる。また、パターやボールを使用しなくても本機を携行することにより、何処でもストロークの練習ができる。
【発明を実施するための最良の形態】
【０００７】
本発明を実施するための最良の形態について図１〜図８に基づいて説明する。
図１〜図８において、１は腕帯、２は爪、３は半可撓式連結部、４はレーザー指示器固定具、５はレーザー指示器、６は電源開閉用スイッチ、７は取付け部材、８はスライド式着脱具、９はスプリング、１０は止めねじ、１１は摩擦調整ねじ、１２はモード切替スイッチ、１３は帽子の鍔に装着する場合に使用するクリップ、１４はベルトに装着する場合に使用するクリップを示す。
【０００８】
図１に示すように、本発明のゴルフ用パッティング練習機は、ゴルファーが体の一部に装着して使用するゴルフ用パッティング練習機であって、レーザービームを照射するレーザー指示器５と、前記レーザー指示器５を腕に着脱自在に装着する腕帯１と、前記レーザー指示器５と前記腕帯１とを連結し該レーザー指示器５の角度調整を行う自由雲台３と、前記自由雲台３の先端に設けられた取付け部材７を差込み引き抜いて前記レーザー指示器５を着脱するスライド式着脱具８とを有することを特徴とする。
前述の特開平９−１５４９９５号公報に記載されたサンハット等の側部に取り付けるゴルフ練習用照準具の場合には、パッティングの際にレーザー指示器があまり揺動しないのでマジックテープ(登録商標）等により簡易な方法で着脱自在に装着すればよかったが、本発明のゴルフ用パッティング練習機のように、腕に装着する場合には、パッティングの際にレーザー指示器５が大きく揺動するので、レーザー指示器５を腕に着脱自在に装着する腕帯１と、レーザー指示器５と腕帯１とを連結し該レーザー指示器５の角度調整を行う自由雲台３と、前記自由雲台３の先端に設けられた取付け部材７を差込み引き抜いて前記レーザー指示器５を着脱するスライド式着脱具８とを設けることによって、レーザー指示器５が簡単に脱落しないようにしっかりと腕に固定すると同時に、レーザー指示器５を腕の軸方向だけでなく腕の軸に対して直角方向に自由にも方向が変えられる構造にして、ビームの指示方向調整を容易にしている。
即ち、自由雲台３は、図１に示すようなボールジョイントを用いることにより、自由雲台３を必要に応じて腕の軸方向だけでなく腕の軸に対して直角方向にも曲げることによって、レーザー指示器５の方向を変えることができる。
また、このボールジョイントの締め付け具合を、摩擦調整ねじ１１を回して調整することにより、パッティング時の揺動では変形しない程度の変形抵抗を確保することができるうえ、レーザービームが練習者の希望する方向を指すようにレーザー照射位置を自由に調整することができる。
【０００９】
また、 腕帯１の横に自由雲台３を設け、その先に取付け部材７を設けることにより、レーザー指示器５を装着するときは自由雲台３の先端に設けられた取付け部材７をスライド式着脱具８に差し込み、取り外すときには、自由雲台３に設けられた取付け部材７をスライド式着脱具８から引き抜くことにより、簡単に着脱することができる。
例えば、図１に示すように、自由雲台３の先端に取付け部材７を設け、スライド式着脱具８側にあるスライド式着脱具８に差し込まれてスプリング９で押さえられていて着脱が可能な構造とすることが好ましい。
また、腕帯１はゴルファーの腕を通す方向には銅板などの強度部材を配置することによって不可撓性とし、その直角方向は腕に巻きつけて固定するために半可撓性の材料で構成することが好ましい。
また、レーザー指示器固定具４はレーザー指示器５を固定するための止めねじ１０や、レーザー指示器固定具４を練習者の帽子(キャップ)の前鍔に固定するためのクリップ１３とベルトに装着するためのクリップ１４を設けることによって、レーザー指示器５を腕ではなく帽子(キャップ)やベルトに装着することができるので、パッティング時に頚骨を中心とする回転の支点のぶれや不必要な下半身の移動が起きていないことをチェックすることができる。
【００１０】
図１に示すように、レーザー指示器５をレーザー指示器固定具４にしっかり固定した後で腕帯１をレーザー指示器５が体の外側に来るように、腕帯の爪２を合せるようにして練習者自身の上腕又は下腕に装着する。その後、自由雲台３の半可撓部を調整してレーザー指示器５のレーザービームが、練習者がアドレスしたときにパターヘッドの一部を指すように設定する。なお、図１は構造の一例を示すもので、爪２の代わりに布製面ファスナーを使って腕帯１を腕に固定しても良く、止めねじ１０の代わりにゴムバンドや結び紐を用いてレーザー指示器５をレーザー指示器固定具４に固定しても良い。
図１および図２に示すように、レーザー指示器５ は内部に電源・発振回路や発光素子などを有しており、練習者が必要に応じてレーザー照射の開閉ができるよう電源開閉用スライドスイッチ６を有しており、後述のようにモード切替スイッチ１２を設けることによりレーザーの発信モードをスポットレーザーとラインレーザーのいずれかを選択することができる。
なお、図１および図２においては、レーザー指示器５とレーザー指示器固定具４とを別々に構成しているが、レーザー指示器５にレーザー指示器固定具４を組み込んでもよい。
【００１１】
パッティングのストローク｛パターヘッドをボールに対してカップと反対方向に引くテークバック動作とカップ方向へ打ち出す動作(ダウン、インパクト、フォロースルー、フィニッシュ)を含む｝のうち、手首や腕・肘を固定したショルダーパッティング(頚骨を中心軸とした、肩の動きによるストロークを行うパッティング)では、手首やグリップ或いは肘がストローク中に動いてしまい、正確な動作(方向・距離を正確に得るストローク)を習得するのが難しい。図３〜図５のように本練習機を使用することによりストローク中の全工程を通してレーザービームがパターヘッドの一定位置を射していれば正しいストロークが行えている事を示すので、それができるようにストロークの練習を行えば良い。
なお、レーザービームが反射して練習者や周囲の人の目を射すような構造のパターヘッドを使用する場合は、パターヘッドの一定位置を射して使うのではなくヘッドから一定距離離れたグリーン上や練習マット上の地点をビームが射すように設定し、ストローク中はビームの射す位置とヘッドとの間隔が変わらないように練習することで同じ効果が得られる。
【００１２】
本練習機を下腕部に装着して練習すれば、手首・グリップの正しい動作(ストロークの全工程中で動かない動作)が習得でき、それを習得した上で、上腕部に装着して練習すれば、肘の正しい動作が習得できる。右利きのゴルファーは左腕に装着して練習することで、正しいショルダーパッティングを習得できるが、不十分な場合は左腕の正しい動きを習得した後で、右腕に装着して行えば一層効果的に両腕の正しい動作を習得できる。左利きのゴルファーは以上述べた逆の過程を経て練習すればよい。
また、図６のように、レーザー指示器固定具４を自由雲台３から外し、ゴルフキャップの前鍔にクリップ１３で固定し、アドレスしたときにボール又はその近くの一点をレーザービームが射すように設定してからストロークし、その全工程を通してビームのスポットが動かないように練習することで、ヘッドアップ防止や体の動き防止が完璧に習得できる。なお、初心者はストローク中に膝が動くことがあるので、それを防ぐためには腕帯で膝又は膝近くに装着して練習すると効果が高い。
更に、クリップ１４を用いてベルトに装着して練習すれば、下半身や尻・腰の動き防止の練習にも使用できる。
【００１３】
前項に示す使用方法を用いれば、中尺パター(ベリーパター)や長尺パターなど色々な種類のパターを用いてショルダーパッティング以外の変形ストロークを行う場合でも、体の動き即ち体と回転軸を不動とするストロークの習得が容易となる。
また、前記レーザー指示器５は、レーザーの発信モードをスポットレーザーとラインレーザーのいずれかに切り替える機能を有することが好ましい。
図７に示すようにレーザーの発信モードをスポットレーザーにすれば、現在のレーザー照射位置を正確に指示できるのでパターヘッドとスポットレーザーの位置が重なっていることを確認できるうえ、ストローク後にレーザー照射位置が動いていないことをチェックできる。
一方、図８に示すようにレーザーの発信モードをラインレーザーに切り替えることにより、パターヘッドを移動させる方向を示すことができるので、ストロークの直線性の習得をさらに効果的にすることができる。
【図面の簡単な説明】
【００１４】
【図１】本発明のパッティング練習機の実施形態を示す斜視図である。
【図２】本発明のパッティング練習機に用いるレーザー指示器固定具４の背面図である。
【図３】本発明のパッティング練習機を左上腕に装着した場合の正面図である。
【図４】本発明のパッティング練習機を左上腕に装着した場合の側面図である。
【図５】本発明のパッティング練習機を左上腕に装着し、テークバックした場合の正面図である。
【図６】本発明のパッティング練習機を帽子の鍔に装着した場合の側面図である。
【図７】本発明のパッティング練習機のレーザー発信モードをスポットレーザーにした場合の実施例を示す図である。
【図８】本発明のパッティング練習機のレーザー発信モードをラインレーザーにした場合の実施例を示す図である。
【符号の説明】
【００１５】
１  腕帯
２  爪
３  自由雲台
４  レーザー指示器固定具
５  レーザー指示器
６  電源開閉用スイッチ
７  取付け部材
８  スライド式着脱具
９  スプリング
１０  止めねじ
１１  摩擦調整ねじ
１２  モード切替スイッチ
１３  クリップ(帽子の鍔に装着する場合に使用)
１４  クリップ(ベルトに装着する場合に使用)
【図１】
2006255390.tif 000003
【図２】
2006255390.tif 000004
【図３】
2006255390.tif 000005
【図４】
2006255390.tif 000006
【図５】
2006255390.tif 000007
【図６】
2006255390.tif 000008
【図７】
2006255390.tif 000009
【図８】
2006255390.tif 000010